【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
印刷装置で印刷すべき印刷ジョブを生成する情報処理装置であって、
アプリケーションから出力される描画命令を格納する格納手段と、
前記格納手段から読み出される描画命令を用いて、印刷ジョブを追跡するためのジョブ追跡用データの生成処理を実行する追跡用データ生成手段と、
前記格納手段から読み出される描画命令を用いて、印刷ジョブのための印刷データの生成処理を実行する印刷データ生成手段と、
前記追跡用データ生成手段によるジョブ追跡用データの生成処理と、前記印刷データ生成手段による印刷データの生成処理とが連続して実行されるべく制御する制御手段とを有することを特徴とする情報処理装置。
【請求項２】
前記制御手段は、連続して、前記格納手段から描画命令を読み出して、前記追跡用データ生成手段と前記印刷データ生成手段へ出力する連続出力手段を有することを特徴とする請求項１記載の情報処理装置。
【請求項３】
前記連続出力手段は、前記追跡用データ生成手段によるジョブ追跡用データの生成処理と、前記印刷データ生成手段による印刷データの生成処理とが、各物理ページごとに交互に実行されるように、同一物理ページの描画命令を繰り返し読み出して出力することを特徴とする請求項２記載の情報処理装置。
【請求項４】
前記ジョブ追跡用データを印刷ジョブ単位で管理可能に蓄積する追跡情報蓄積手段に対し出力する追跡データ出力手段を更に有することを特徴とする請求項１乃至３のいずれか１項に記載の情報処理装置。
【請求項５】
前記追跡データ出力手段は、前記描画命令内の各ページの印刷内容をページ単位で前記追跡情報蓄積手段に出力することを特徴とする請求項４記載の情報処理装置。
【請求項６】
前記追跡用データ生成手段によるジョブ追跡用データの生成を制御する制御情報を設定する制御情報設定手段を更に有することを特徴とする請求項１乃至５のいずれか１項に記載の情報処理装置。
【請求項７】
前記制御情報設定手段は、プリンタドライバのユーザインタフェースを用いて制御情報を設定することを特徴とする請求項６記載の情報処理装置。
【請求項８】
前記追跡用データ生成手段は、追跡の設定としてテキスト抽出が選択されている場合には、前記格納手段から読み出される描画命令からテキスト部分を抽出し、追跡の設定としてイメージ抽出が選択されている場合には、前記格納手段から読み出される描画命令に基づいてページ単位のビットマップデータを生成する処理を実行することを特徴とする請求項１乃至７のいずれか１項に記載の情報処理装置。
【請求項９】
前記追跡用データ生成手段は、カラーページとモノクロページで異なるビット数でジョブ追跡用データの生成処理を実行することを特徴とする請求項１乃至８のいずれか１項に記載の情報処理装置。
【請求項１０】
前記追跡用データ生成手段は、前記格納手段から読み出される描画命令をグラフィックエンジン手段に出力し処理させることで、ジョブ追跡用データの生成処理を実行し、
前記印刷データ生成手段は、前記格納手段から読み出される描画命令を前記グラフィックエンジン手段に出力し処理させることで、印刷データの生成処理を実行することを特徴とする請求項１乃至９のいずれか１項に記載の情報処理装置。
【請求項１１】
印刷装置で印刷すべき印刷ジョブを生成する情報処理装置における情報漏洩抑止方法であって、
アプリケーションから出力される描画命令を格納する格納手段から読み出される該描画命令を用いて、印刷ジョブを追跡するためのジョブ追跡用データの生成処理を実行する追跡用データ生成工程と、
前記追跡用データ生成工程でのジョブ追跡用データの生成処理と連続して実行され、前記格納手段から読み出される前記描画命令を用いて印刷ジョブのための印刷データの生成処理を実行する印刷データ生成工程とを有することを特徴とする情報漏洩抑止方法。
【請求項１２】
前記ジョブ追跡用データの生成処理と印刷データの生成処理とは、連続して前記格納手段から描画命令を読み出し出力することで、連続して実行されることを特徴とする請求項１１記載の情報漏洩抑止方法。
【請求項１３】
前記連続する読み出し出力では、前記追跡用データ生成工程でのジョブ追跡用データの生成処理と、前記印刷データ生成工程での印刷データの生成処理とが、各物理ページごとに交互に実行されるように、同一物理ページの描画命令を繰り返し読み出して出力することを特徴とする請求項１２記載の情報漏洩抑止方法。
【請求項１４】
前記ジョブ追跡用データを印刷ジョブ単位で管理可能に蓄積する追跡情報蓄積手段に対し出力する追跡データ出力工程を更に有することを特徴とする請求項１１乃至１３のいずれか１項に記載の情報漏洩抑止方法。
【請求項１５】
前記追跡データ出力工程では、前記描画命令内の各ページの印刷内容をページ単位で前記追跡情報蓄積手段に出力することを特徴とする請求項１４記載の情報漏洩抑止方法。
【請求項１６】
前記追跡用データ生成工程でジョブ追跡用データの生成を制御する制御情報を設定する制御情報設定工程を更に有することを特徴とする請求項１１乃至１５のいずれか１項に記載の情報漏洩抑止方法。
【請求項１７】
前記制御情報設定工程では、プリンタドライバのユーザインタフェースを用いて制御情報を設定することを特徴とする請求項１６記載の情報処理装置の情報漏洩抑止方法。
【請求項１８】
前記追跡用データ生成工程では、追跡の設定としてテキスト抽出が選択されている場合には、前記格納手段から読み出される描画命令からテキスト部分を抽出し、追跡の設定としてイメージ抽出が選択されている場合には、前記格納手段から読み出される描画命令に基づいてページ単位のビットマップデータを生成する処理を実行することを特徴とする請求項１１乃至１７のいずれか１項に記載の情報漏洩抑止方法。
【請求項１９】
前記追跡用データ生成工程では、カラーページとモノクロページで異なるビット数でジョブ追跡用データの生成処理を実行することを特徴とする請求項１１乃至１８のいずれか１項に記載の情報漏洩抑止方法。
【請求項２０】
前記追跡用データ生成工程では、前記格納手段から読み出される描画命令をグラフィックエンジン手段に出力し処理させることで、ジョブ追跡用データの生成処理を実行し、
前記印刷データ生成工程では、前記格納手段から読み出される描画命令を前記グラフィックエンジン手段に出力し処理させることで、印刷データの生成処理を実行することを特徴とする請求項１１乃至１９のいずれか１項に記載の情報漏洩抑止方法。
【請求項２１】
請求項１１乃至１３、及び１６乃至２０のいずれか１項に記載の情報漏洩抑止方法の工程をコンピュータに実行させるためのコンピュータプログラム。
【請求項２２】
請求項２１に記載のコンピュータプログラムを記憶したコンピュータ読み取り可能な記憶媒体。
【手続補正２】
【補正対象書類名】明細書
【補正対象項目名】００１８
【補正方法】変更
【補正の内容】
【００１８】
かかる課題を解決するために、本発明の情報処理装置は、印刷装置で印刷すべき印刷ジョブを生成する情報処理装置であって、アプリケーションから出力される描画命令を格納する格納手段と、前記格納手段から読み出される描画命令を用いて、印刷ジョブを追跡するためのジョブ追跡用データの生成処理を実行する追跡用データ生成手段と、前記格納手段から読み出される描画命令を用いて、印刷ジョブのための印刷データの生成処理を実行する印刷データ生成手段と、前記追跡用データ生成手段によるジョブ追跡用データの生成処理と、前記印刷データ生成手段による印刷データの生成処理とが連続して実行されるべく制御する制御手段とを有することを特徴とする。
【手続補正３】
【補正対象書類名】明細書
【補正対象項目名】００１９
【補正方法】変更
【補正の内容】
【００１９】
ここで、前記制御手段は、連続して、前記格納手段から描画命令を読み出して、前記追跡用データ生成手段と前記印刷データ生成手段へ出力する連続出力手段を有する。また、前記連続出力手段は、前記追跡用データ生成手段によるジョブ追跡用データの生成処理と、前記印刷データ生成手段による印刷データの生成処理とが、各物理ページごとに交互に実行されるように、同一物理ページの描画命令を繰り返し読み出して出力する。
【手続補正４】
【補正対象書類名】明細書
【補正対象項目名】００２０
【補正方法】変更
【補正の内容】
【００２０】
前記ジョブ追跡用データを印刷ジョブ単位で管理可能に蓄積する追跡情報蓄積手段に対し出力する追跡データ出力手段を更に有する。ここで、前記追跡データ出力手段は、前記描画命令内の各ページの印刷内容をページ単位で前記追跡情報蓄積手段に出力する。また、前記追跡用データ生成手段によるジョブ追跡用データの生成を制御する制御情報を設定する制御情報設定手段を更に有する。また、前記制御情報設定手段は、プリンタドライバのユーザインタフェースを用いて制御情報を設定する。
【手続補正５】
【補正対象書類名】明細書
【補正対象項目名】００２１
【補正方法】変更
【補正の内容】
【００２１】
前記追跡用データ生成手段は、追跡の設定としてテキスト抽出が選択されている場合には、前記格納手段から読み出される描画命令からテキスト部分を抽出し、追跡の設定としてイメージ抽出が選択されている場合には、前記格納手段から読み出される描画命令に基づいてページ単位のビットマップデータを生成する処理を実行する。また、前記追跡用データ生成手段は、カラーページとモノクロページで異なるビット数でジョブ追跡用データの生成処理を実行する。また、前記追跡用データ生成手段は、前記格納手段から読み出される描画命令をグラフィックエンジン手段に出力し処理させることで、ジョブ追跡用データの生成処理を実行し、前記印刷データ生成手段は、前記格納手段から読み出される描画命令を前記グラフィックエンジン手段に出力し処理させることで、印刷データの生成処理を実行する。
【手続補正６】
【補正対象書類名】明細書
【補正対象項目名】００２２
【補正方法】変更
【補正の内容】
【００２２】
又、本発明の情報漏洩抑止方法は、印刷装置で印刷すべき印刷ジョブを生成する情報処理装置における情報漏洩抑止方法であって、アプリケーションから出力される描画命令を格納する格納手段から読み出される該描画命令を用いて、印刷ジョブを追跡するためのジョブ追跡用データの生成処理を実行する追跡用データ生成工程と、前記追跡用データ生成工程でのジョブ追跡用データの生成処理と連続して実行され、前記格納手段から読み出される前記描画命令を用いて印刷ジョブのための印刷データの生成処理を実行する印刷データ生成工程とを有することを特徴とする。
【手続補正７】
【補正対象書類名】明細書
【補正対象項目名】００２３
【補正方法】変更
【補正の内容】
【００２３】
ここで、前記ジョブ追跡用データの生成処理と印刷データの生成処理とは、連続して前記格納手段から描画命令を読み出し出力することで、連続して実行される。また、前記連続する読み出し出力では、前記追跡用データ生成工程でのジョブ追跡用データの生成処理と、前記印刷データ生成工程での印刷データの生成処理とが、各物理ページごとに交互に実行されるように、同一物理ページの描画命令を繰り返し読み出して出力する。
【手続補正８】
【補正対象書類名】明細書
【補正対象項目名】００２４
【補正方法】変更
【補正の内容】
【００２４】
前記ジョブ追跡用データを印刷ジョブ単位で管理可能に蓄積する追跡情報蓄積手段に対し出力する追跡データ出力工程を更に有する。ここで、前記追跡データ出力工程では、前記描画命令内の各ページの印刷内容をページ単位で前記追跡情報蓄積手段に出力する。また、前記追跡用データ生成工程でジョブ追跡用データの生成を制御する制御情報を設定する制御情報設定工程を更に有する。また、前記制御情報設定工程では、プリンタドライバのユーザインタフェースを用いて制御情報を設定する。
【手続補正９】
【補正対象書類名】明細書
【補正対象項目名】００２５
【補正方法】変更
【補正の内容】
【００２５】
前記追跡用データ生成工程では、追跡の設定としてテキスト抽出が選択されている場合には、前記格納手段から読み出される描画命令からテキスト部分を抽出し、追跡の設定としてイメージ抽出が選択されている場合には、前記格納手段から読み出される描画命令に基づいてページ単位のビットマップデータを生成する処理を実行する。また、前記追跡用データ生成工程では、カラーページとモノクロページで異なるビット数でジョブ追跡用データの生成処理を実行する。また、前記追跡用データ生成工程では、前記格納手段から読み出される描画命令をグラフィックエンジン手段に出力し処理させることで、ジョブ追跡用データの生成処理を実行し、前記印刷データ生成工程では、前記格納手段から読み出される描画命令を前記グラフィックエンジン手段に出力し処理させることで、印刷データの生成処理を実行する。
【手続補正１０】
【補正対象書類名】明細書
【補正対象項目名】００２６
【補正方法】変更
【補正の内容】
【００２６】
更に、上記情報漏洩抑止方法の工程をコンピュータに実行させるためのコンピュータプログラム、該コンピュータプログラムを記憶したコンピュータ読み取り可能な記憶媒体を提供する。